(57)【要約】【構成】連続気泡１８を有するウレタンフォームからなるマット本体２０にダニ忌避剤２２を保持させたダニ忌避マット１０であって、ダニ忌避剤２２が除放性カプセル２４に収容された状態で連続気泡１８内に保持されている。ダニ忌避マット１０をシーツとベッドマットとの間に敷いて使用すると、ベッド上の人間の身体にダニが近づかないようにすることができる。ダニ忌避剤２２は、気泡１８内に保持されているのでマット本体２０から離脱し難いこと、およびダニ忌避剤２２が除放性カプセル２４に収容されているので、その放出が緩徐であることによって、ダニ忌避剤２２によるその効果が比較的長期間維持する。【効果】たとえば入院患者がベッド上に終日にわたって横たわることがあるが、このような患者に、疥癬等の皮膚病や喘息の原因の１つと考えられるヒゼンダニ等のダニが近づかないようにして、ダニが身体に付着したり寄生することを防止できる。【選択図】  図１
2004180573.tif 000002
【特許請求の範囲】
【請求項１】
連続気泡を有するプラスチックフォームからなるマットにダニ忌避剤を保持させた、ダニ忌避マット。
【請求項２】
前記マットが寝具用シーツの下に敷いて使用されるものであり、前記ダニ忌避剤を前記連続気泡内に保持させた、請求項１記載のダニ忌避マット。
【請求項３】
前記プラスチックフォームがウレタンフォームである、請求項１または２記載のダニ忌避マット。
【請求項４】
前記ダニ忌避剤が除放性カプセルに収容されている、請求項１ないし３のいずれかに記載のダニ忌避マット。
【請求項５】
（ａ）  連続気泡を有するプラスチックフォームからなるマットを準備し、
（ｂ）  一対のローラを有し、一方の前記ローラが吸水性を有し、その一部がダニ忌避剤が含まれる液体に浸かる状態で設けられたローラ装置を準備し、
（ｃ）  前記マットを前記一対のローラの間に挟み込んで所定の圧力で押圧しながら通すことによって、前記マットに前記一方のローラに保持されている前記液体を吸い込ませ、そして
（ｄ）  前記液体を吸い込んだ前記マットを乾燥させる、ダニ忌避マットの製造方法。
【請求項６】
前記ステップ（ｃ）では、前記マットに所定重量の前記液体を吸い込ませ、前記ステップ（ｄ）で乾燥後の前記マットに保持される前記ダニ忌避剤が所定重量となるように、前記液体に含まれる前記ダニ忌避剤の重量％を定めた、請求項５記載のダニ忌避マットの製造方法。
【発明の詳細な説明】
【０００１】
【産業上の利用分野】
この発明はダニ忌避マットおよびその製造方法に関し、特にたとえば、ベッドマット等の寝具とシーツとの間に敷いて、ダニが近づかないようにする、ダニ忌避マットおよびその製造方法に関する。
【０００２】
【従来技術】
家屋内に生息するヒゼンダニ等のダニは、疥癬等の皮膚病や喘息の原因の１つとして考えられている。そこで、疥癬等の皮膚病や喘息の発症を防止するために、このダニを捕獲して、そのまま死亡させることができるダニ捕獲マットが発明されている（たとえば、特許文献１参照。）。このダニ捕獲マットは、連続気泡を有するウレタンフォーム製のマットの表面に、スプレー等によって感圧粘着性樹脂を付着させたものであり、たとえば座布団に適用されている。このマットは、感圧粘着性樹脂が付着された状態で、その表面に形成されている多数の小さな気泡が外側に開口している。
【０００３】
このダニ捕獲マットは、ダニが暗い隙間に潜り込むという習性を利用することによって、ダニを気泡内に捕獲して死亡させるものである。つまり、家屋内のダニは、このダニ捕獲マットに形成されている気泡内に入り込んだときに、このマットの気泡内に付着する感圧粘着性樹脂に付着して動くことができなくなり、捕獲された状態となる。この状態で約１日が経過すると、ダニは死滅してしまい、その死骸は気泡内の感圧粘着性樹脂に付着した状態となっている。これによって、ダニの死骸が空気中に浮遊することがなく、人間の体内に吸い込まれないようにすることができる。
【０００４】
【特許文献１】
特開平１１−１６９０５０号公報
【０００５】
【発明が解決しようとする課題】
しかし、このダニ捕獲マットでは、マットに形成されている気泡に潜り込んだダニを捕獲して死滅させることができるが、このマットを利用する人間の身体に付着して寄生しようとするダニを捕獲して死滅させることができない。したがって、従来のダニ捕獲マットでは、ダニが人間の身体に付着したり寄生することを確実に防止することができない。
【０００６】
それゆえに、この発明の主たる目的は、ダニが人間の身体に付着したり寄生することを確実に防止できる、ダニ忌避マットおよびその製造方法を提供することである。
【０００７】
【課題を解決するための手段】
第１の発明は、連続気泡を有するプラスチックフォームからなるマットにダニ忌避剤を保持させた、ダニ忌避マットである。
【０００８】
第２の発明は、（ａ）  連続気泡を有するプラスチックフォームからなるマットを準備し、（ｂ）  一対のローラを有し、一方のローラが吸水性を有し、その一部がダニ忌避剤が含まれる液体に浸かる状態で設けられたローラ装置を準備し、（ｃ）  マットを一対のローラの間に挟み込んで所定の圧力で押圧しながら通すことによって、マットに一方のローラに保持されている液体を吸い込ませ、そして（ｄ）  液体を吸い込んだマットを乾燥させる、ダニ忌避マットの製造方法である。
【０００９】
【作用】
第１の発明のダニ忌避マットによると、マットにダニ忌避剤が保持されているので、このマットにダニが近づかないようにすることができ、よって、このダニ忌避マットを利用する人間の身体にもダニが近づかないようにすることができる。
【００１０】
そして、マットに形成されている連続気泡内に保持されるダニ忌避剤は、マットから離脱し難いので、ダニ忌避剤によるダニ忌避効果を比較的長期間維持させることができる。
【００１１】
また、ダニ忌避剤が除放性カプセルに収容されている場合は、このカプセルによってダニ忌避剤の放出が緩徐となるように制御することができる。よって、ダニ忌避剤によるダニ忌避効果を安定して比較的長期間持続させることができる。
【００１２】
第２の発明のダニ忌避マットの製造方法によって、ダニ忌避マットを製造するときは、まず、連続気泡を有するマットを、回転する一対のローラの間に挟み込んで所定の圧力で押圧しながら通す。このとき、一方のローラに保持されている液体がマットに吸い込まれる。この液体には、ダニ忌避剤が分散または溶解している。次に、この液体を吸い込んだマットを乾燥させることによって、ダニ忌避剤を保持するダニ忌避マットを製造することができる。
【００１３】
なお、マットを一対のローラの間に挟み込んで所定の圧力で押圧しながら通しているので、ローラの回転速度およびマットに対する押圧力等に応じて液体をマットに所定重量ずつ順次吸い込ませることができる。そして、吸水性を有する一方のローラは、その一部が液体に浸かっているので、このローラが保持している液体がマットに吸い込まれると、このローラの回転によって、新たに液体を吸い込んで保持する状態となる。よって、ローラを通過中のマットは、液体をローラから連続して吸い込むことができるので、マット全体にわたってほぼ均一に液体を吸い込むことができる。したがって、このマットを乾燥させることによって、ダニ忌避剤をマットの全体にわたってほぼ均一に保持させることができる。
【００１４】
【発明の効果】
第１の発明のダニ忌避マットによると、このマットをたとえばベッドマットとシーツとの間に敷いて使用するマットに適用した場合、このベッドを利用する人間の身体にダニが近づかないようにすることができる。つまり、病院や家屋内のダニが人間の身体に付着したり、寄生する機会の多い就寝中において、ダニが人間の身体に近づかないようにすることができるので、疥癬等の皮膚病や喘息の原因の１つと考えられているヒゼンダニ等のダニが、人間の身体に付着したり寄生することを確実に防止できる。特に病院では、患者がベッド上に終日にわたって横たわっていることがあるが、このような患者に対してこのダニ忌避マットは特に有益である。そして、このダニ忌避マットは、ダニを忌避するためのものであり、ダニを殺すためのものではないので、ダニの死骸が発生せず、人間がその死骸を吸い込むことがなく衛生的である。
【００１５】
第２の発明のダニ忌避マットの製造方法によると、ダニ忌避剤をマットの全体にわたってほぼ均一に保持させることができるので、このダニ忌避マットのいずれの部分においてもほぼ均一にダニ忌避効果を付与することができる。したがって、このダニ忌避マットをたとえばベッドマットとシーツとの間に敷いて使用するマットに適用した場合、少なくとのこのダニ忌避マットの範囲内で横たわる人間の身体のいずれの部分にもダニが近づかないようにすることができる。
【００１６】
この発明の上述の目的，その他の目的，特徴および利点は、図面を参照して行う以下の実施例の詳細な説明から一層明らかとなろう。
【００１７】
【実施例】
この発明に係るダニ忌避マットおよびその製造方法の一実施例を図１〜図５を参照して説明する。このダニ忌避マット１０は、図２に示すように、たとえばベッドマット１２とシーツ１４との間に敷いて使用するマットである。このダニ忌避マット１０は、このベッド１６を利用する人間の身体にダニが近づかないようにすることができ、これによって、疥癬等の皮膚病や喘息の原因の１つと考えられているヒゼンダニ等のダニが、人間の身体に付着したり寄生することを防止することができる。
【００１８】
このダニ忌避マット１０は、連続気泡（以下、単に「気泡」と言うこともある。）１８を有するウレタンフォームからなるマット本体２０にダニ忌避剤２２を保持させたものである。なお、このダニ忌避マット１０は、マット本体２０をたとえば布製のカバー（図示せず）によって被覆したものである。マット本体２０は、たとえば重量が約２５０ｇであり、幅，長さおよび厚みが約８００ｍｍ，約１８００ｍｍおよび約３０ｍｍである。このマット本体２０は、図１に示すように、内部および表面に多数の連続気泡１８を有し、それぞれの気泡１８が互いに連通している。そして、表面に形成されている気泡１８は、外側に開口している。また、各気泡１８の内面には、ダニ忌避剤２２が付着（吸着）している。このようにして、ダニ忌避剤２２がマット本体２０に保持されている。
【００１９】
ダニ忌避剤２２は、たとえばジエチルトルアミドであり、これを除放性マイクロカプセル（以下、単に「除放性カプセル」と言うこともある。）２４に収容したものである（たとえば商品名；ＦＩＮＩＳＨ  ＭＩＴ。）。この「ＦＩＮＩＳＨ  ＭＩＴ」は、ダニ忌避剤２２であるジエチルトルアミド（有効成分）を収容する除放性カプセル２４の水分散液であり、この水分散液の有効成分含有率がたとえば３６％である。この除放性カプセル２４は、材質がたとえばメラミン樹脂であり、粒子径が平均４〜５μｍである。また、ダニ忌避剤２２は、マット本体２０の１ｍ２当たりに有効成分換算で約５ｇ保持されている。
【００２０】
図１に示すダニ忌避マット１０によると、マット本体２０にダニ忌避剤２２が保持されているので、このマット１０にダニが近づかないようにすることができる。したがって、このダニ忌避マット１０を、図２に示すように、ベッドマット１２とシーツ１４との間に敷いて使用すると、このベッド１６を利用する人間の身体にダニが近づかないようにすることができる。つまり、病院や家屋内のダニが人間の身体に付着したり、寄生する機会の多い就寝中において、ダニが人間の身体に近づかないようにすることができるので、疥癬等の皮膚病や喘息の原因の１つと考えられているヒゼンダニ等のダニが、人間の身体に付着したり寄生することを確実に防止できる。そして、このダニ忌避マット１０は、ダニを忌避するためのものであり、ダニを殺すためのものではないので、ダニの死骸が発生せず、人間がその死骸を吸い込むことがなく、衛生的である。
【００２１】
そして、図１に示すように、マット本体２０に形成されている連続気泡１８内にダニ忌避剤２２が収容された状態で保持されているので、ダニ忌避剤２２がマット本体２０から離脱し難く、よって、ダニ忌避剤２２によるダニ忌避効果を比較的長期間維持させることができる。
【００２２】
また、ダニ忌避剤２２であるジエチルトルアミドが除放性カプセル２４に収容されているので、このカプセル２４によってダニ忌避剤２２の放出速度が緩徐となるように制御されている。よって、ダニ忌避剤２２によるダニ忌避効果をほぼ安定して比較的長期間持続させることができる。
【００２３】
図３は、除放性カプセル２４の除放性能を示す図である。図３において、実線は、この実施例の除放性カプセル２４に収容されたジエチルトルアミド（ダニ忌避剤２２）の残存率を示しており、破線は、除放性カプセル２４に収容されていないジエチルトルアミドの残存率を示している。図３から分かるように、試験を開始した時から３０日を経過した後において、実線で示すこの実施例の除放性カプセル２４に収容されたジエチルトルアミドでは、元の重量の約８４％が残存しているのに対して、破線で示す除放性カプセル２４に収容されていないジエチルトルアミドでは、元の重量の約７％しか残存していない。したがって、この実施例のように、ダニ忌避剤２２（ジエチルトルアミド）を除放性カプセル２４に収容することによって、ダニ忌避効果を長期間持続させることができ、実用的である。
【００２４】
なお、図３の実線で示す除放性カプセル２４内のジエチルトルアミドの残存量は、次のようにして得られたものである。まず、ジエチルトルアミドが収容された除放性カプセル２４の水分散液をアルミ箔上に塗布し、それをオーブンで１０５℃の温度で乾燥させる。そして、その乾燥させたものを２０℃，６５％ＲＨの恒温・恒湿の部屋に入れて、アルミ箔上の除放性カプセル２４に収容されたジエチルトルアミドの重量を測定する。この重量がジエチルトルアミドの残存量である。
【００２５】
図３の破線で示すジエチルトルアミドの残存量は、次のようにして得られたものである。まず、ジエチルトルアミドをアルミ箔上に塗布する。このアルミ箔上に塗布されたジエチルトルアミドの１ｍ２当たりの重量は５ｇである。これを２０℃，６５％ＲＨの恒温・恒湿の部屋に入れて、アルミ箔上のジエチルトルアミドの重量を測定する。この重量がジエチルトルアミドの残存量である。
【００２６】
次に、図１および図２に示すダニ忌避マット１０の製造方法を説明する。このダニ忌避マット１０の製造方法は、まず、図１に示すウレタンフォーム製のマット本体２０を図４に示すローラ装置２６に通すことによって、マット本体２０に水分散液２８を吸い込ませる。この水分散液２８は、ダニ忌避剤２２が収容されている除放性カプセル２４を水に分散させたものである。次に、この水分散液２８を吸い込んだマット本体２０を、図５に示す乾燥機３０に通すことによって乾燥させる。これによって、図１および図２に示すダニ忌避マット１０を製造することができる。
【００２７】
ローラ装置２６は、図４に示すように、一対のローラ３２，３４が互いに接触する状態で上下に配置されており、それぞれが互いに平行しかつ水平の状態で回動自在に軸受けに支持されている。上側のローラが駆動ローラ３２であり、下側のローラが従動ローラ３４である。
【００２８】
駆動ローラ３２は、たとえば金属製であり、硬質材料で形成されている。この駆動ローラ３２は、その軸が速度制御モータ３６の回転軸と連結しており、このモータ３６に駆動されて図４の矢印に示す右方向に回転する。
【００２９】
従動ローラ３４は、外周部が吸水性を有するプラスチックフォームで形成されている。このプラスチックフォームは、たとえば連続気泡を有するウレタンフォームであり、所定の厚みで形成されている。もちろん、従動ローラ３４の軸以外の全体をウレタンフォームで形成してもよい。この従動ローラ３４の軸と駆動ローラ３２の軸とは、たとえば歯車（図示せず）を介して互いに連結している。したがって、モータ３６が駆動して駆動ローラ３２が右回転すると、駆動ローラ３２の回転が歯車を介して従動ローラ３４の軸に伝達されて、従動ローラ３４が左回転する。なお、駆動ローラ３２と従動ローラ３４との接触面にすべりが生じないように、歯車が設定されている。なお、駆動ローラ３２および従動ローラ３４の直径は、たとえば約５０ｍｍおよび約１５ｍｍであり、それぞれの回転速度は、約１．０ｒｐｍおよび約３．３ｒｐｍである。
【００３０】
そして、図４に示すように、ローラ装置２６の前段には、このローラ装置２６にマット本体２０を供給するための供給コンベア３８が設けられている。そして、ローラ装置２６の後段には、このローラ装置２６に通されたマット本体２０をローラ装置２６から排出するための排出コンベア４０が設けられている。
【００３１】
また、従動ローラ３４は、その下部が水分散液２８に浸かった状態で設置されている。この水分散液２８は、水槽４２に貯留されている。このように、外周部がウレタンフォームで形成されている従動ローラ３４は、その下部が水分散液２８に浸かっているので、水分散液２８に浸かっている部分でこの水分散液２８を吸い込むことができる。そして、従動ローラ３４が回転すると、従動ローラ３４の外周部が全周にわたって水分散液２８に浸かることとなり、外周部の全周にわたって水分散液２８を吸い込むことができる。したがって、この一対のローラ３２，３４の間にマット本体２０を供給すると、マット本体２０は、従動ローラ３４の外周部に保持されている水分散液２８を所定重量分だけ吸い込んで排出コンベア４０上に送り出される。
【００３２】
また、この水槽４２には、水分散液２８を所定体積（または重量）ずつ補充するための補充管４４の出口が開口している。この補充管４４は、補充タンク４６に接続しており、途中に電磁弁４８が設けられている。補充タンク４６には、水分散液２８が貯留されている。
【００３３】
さらに、たとえば従動ローラ３４の軸には、圧力センサ５０が設けられている。圧力センサ５０は、一対のローラ３２，３４の間をマット本体２０が通過したことを検出するためのものである。この圧力センサ５０は、たとえば歪ゲージを有し、マット本体２０が一対のローラ３２，３４の間を通過するときに、従動ローラ３４の軸の撓み等の変形を検出することができる。
【００３４】
そして、図４に示すように、これら速度制御モータ３６、電磁弁４８および圧力センサ５０は、制御部５２に電気的に接続されている。制御部５２は、速度制御モータ３６および電磁弁４８を制御するものであり、たとえばマイクロコンピュータを備えている。つまり、制御部５２は、一対のローラ３２，３４が所定の速度で回転するように、モータ３６を駆動制御している。この所定の回転速度とは、マット本体２０が一対のローラ３２，３４の間に挟みこまれて所定の圧力で押圧されながら通過するときに、マット本体２０が所定重量の水分散液２８を吸い込むことができる回転速度である。なお、一対のローラ３２，３４の回転速度が速くなるほど、マット本体２０の水分散液２８の吸い込み量が少なくなり、その回転速度が遅くなるほどその逆の現象が起こる傾向にある。また、一対のローラ３２，３４がその間にマット本体２０を挟み込む押圧力は、マット本体２０が吸い込んだ水分散液２８のうち、余分な量の水分散液２８を絞って除去する働きをする。よって、押圧力を小さくしたり大きく設定することによって、マット本体２０が水分散液２８を吸い込む量を増減させることができる。したがって、一対のローラ３２，３４の回転速度およびマット本体２０に対する押圧力は、マット本体２０が所定重量の水分散液２８を吸い込むことができるように設定されている。
【００３５】
また、制御部５２は、電磁弁４８を所定のタイミングで所定の時間だけ開放するように作動制御している。つまり、制御部５２は、一対のローラ３２，３４の間を１枚のマット本体２０が通過したことを圧力センサ５０が検出したときに、閉状態の電磁弁４８を所定時間だけ開状態に作動させる。電磁弁４８が所定時間だけ開状態となると、補充タンク４６内の水分散液２８が所定体積だけ補充管４４を通って水槽４２に補充される。なお、一対のローラ３２，３４の間をマット本体２０が通過したときに電磁弁４８を開状態にするのは、マット本体２０がローラ３２，３４間を通過することによって、水槽４２内の水分散液２８が従動ローラ３４を介してマット本体２０に吸い込まれて減少するので、その減少した水分散液２８を水槽４２に補充するためである。そして、電磁弁４８を所定時間だけ開状態にするのは、水槽４２内の水分散液２８が１枚のマット本体２０に吸い込まれて減少した分だけ補充タンク４６から水分散液２８を補充するためである。
【００３６】
このように、一対のローラ３２，３４間を１枚のマット本体２０が通過するたびに、１枚のマット本体２０に吸い込まれた水分散液２８に相当する分だけを水槽４２に補充しているので、水槽４２の水位を常に一定に保つことができる。これによって、従動ローラ３４の下部が水分散液２８に浸かる深さを、一定の深さに維持できるので、従動ローラ３４に保持される水分散液２８の重量（体積）も一定重量に維持することができる。その結果、１枚のマット本体２０に吸い込まれる水分散液２８の重量を、一定重量に維持することができる。
【００３７】
なお、このように１枚のマット本体２０に吸い込まれる水分散液２８の重量を、一定重量に維持するのは、乾燥後のマット本体２０に保持されるダニ忌避剤２２の重量を一定重量にするためである。
【００３８】
乾燥機３０は、ローラ装置２６から排出された水分散液２８を吸い込んだマット本体２０を乾燥させるためのものである。マット本体２０は、乾燥機３０にたとえば２回通されて乾燥させられる。乾燥機３０は、電気ヒータ（図示せず）および長さが約５ｍのコンベア５４を備えており、コンベア５４の速度が約１．２４ｍ／ｍｉｎに設定されている。よって、マット本体２０が乾燥機３０を１回通過する時間は、約４分（≒５／１．２４）であるので、２回通過する時間は約８分（＝４×２）である。また、乾燥機３０の内部温度は、約１００℃に設定されている。
【００３９】
次に、図４に示すローラ装置２６および図５に示す乾燥機３０を使用して、図１および図２に示すダニ忌避マット１０を製造する手順を説明する。まず、図４に示すように、水槽４２に水分散液２８を所定の水位となるまで供給して、従動ローラ３４の下部が水分散液２８に所定の深さだけ浸かるようにする。そして、駆動および従動ローラ３２，３４を所定の速度で回転させることによって、従動ローラ３４の外周部に水分散液２８が保持されている状態にする。そして、供給および排出コンベア３８，４０を駆動させる。次に、図１に示すウレタンフォーム製のマット本体２０を所定の向きにして供給コンベア３８上に載せる。マット本体２０は、供給コンベア３８によって一対のローラ３２，３４の間に供給されて、このローラ３２，３４間に挟み込まれて所定の圧力で上下から押圧されながらこのローラ間を通過する。このとき、マット本体２０は、従動ローラ３４に保持されている水分散液２８を吸い込むとともに、この一対のローラ３２，３４によって絞られて、余分な水分散液２８が除去される。これによって、予め定めた所定重量の水分散液２８を吸い込んだマット本体２０を製造することができる。
【００４０】
次に、所定重量の水分散液２８を吸い込んだマット本体２０を、図５に示す乾燥機３０に２回通すことによって乾燥させる。このようにして、図１に示すダニ忌避剤２２を保持するダニ忌避マット１０を製造することができる。
【００４１】
このダニ忌避マット１０の製造方法によると、吸水性を有する従動ローラ３４は、その一部が水分散液２８に浸かっているので、この従動ローラ３４が保持している水分散液２８がマット本体２０に吸い込まれても、従動ローラ３４の回転によって、新たに水分散液２８を吸い込んで保持する状態となる。よって、マット本体２０は、水分散液２８を従動ローラ３４から連続して吸い込むことができるし、マット本体２０の全体にわたってほぼ均一に水分散液２８を吸い込むことができる。したがって、このマット本体２０を乾燥させることによって、ダニ忌避剤２２をマット本体２０の全体にわたってほぼ均一に保持させることができる。
【００４２】
これによって、このダニ忌避マット１０のいずれの部分においてもほぼ均一にダニ忌避効果を付与することができるので、少なくともこのダニ忌避マット１０の範囲内でたとえば横たわる人間の身体のいずれの部分にもダニが近づかないようにすることができる。
【００４３】
また、上述したように、このローラ装置２６によると、１枚のマット本体２０に吸い込まれる水分散液２８の重量を、一定重量（所定重量）に維持することができるので、乾燥後のマット本体２０に保持されるダニ忌避剤２２の重量も一定重量（所定重量）に維持することができる。したがって、予め定めた所定のダニ忌避効果を有するダニ忌避マット１０を、そのダニ忌避効果のばらつきが小さくしかも簡単に製造することができる。
【００４４】
次に、マット本体２０が乾燥機３０に通されて乾燥した後において、マット本体２０が予め定めた所定重量のダニ忌避剤２２を保持するように、水槽４２および補充タンク４６に貯留される水分散液２８に分散させるダニ忌避剤２２の重量％について説明する。
【００４５】
まず、ウレタンフォーム製のマット本体２０は、重量が約２５０ｇであり、幅，長さおよび厚みが約８００ｍｍ，約１８００ｍｍおよび約３０ｍｍであるとする。このマット本体２０に適切なダニ忌避効果を付与するためには、マット表面の１ｍ２当たりにダニ忌避剤２２を５ｇ保持させる必要がある。したがって、このマット本体２０の表面の面積が１．４４ｍ２（＝０．８ｍ×１．８ｍ）であるので、７．２ｇ（＝５ｇ×１．４４）のダニ忌避剤２２をマット本体２０の全体に保持させる必要がある。なお、ダニ忌避剤２２は、マット本体２０の表面および内部の全体にわたって均一に保持される。
【００４６】
そして、マット本体２０の吸水率が４２０％とすると、マット本体２０に吸い込まれる水分散液８００ｇ（＝２５０ｇ×４２０％−２５０ｇ）には７．２ｇのダニ忌避剤２２が含まれていなければならない。よって、水分散液２８に分散されるダニ忌避剤２２の重量％は、０．９％（＝７．２ｇ／８００ｇ）となる。
【００４７】
ただし、ダニ忌避剤２２のマット本体２０に対する付着（吸着）ロスが０．１％とすると、ダニ忌避剤２２の重量％を１％にする。
【００４８】
このように、図４に示すローラ装置２６によってマット本体２０に所定重量（８００ｇ）の水分散液２８を吸い込ませるとともに、ダニ忌避剤２２が所定重量％（１％）分散する水分散液２８とすることによって、マット本体２０が乾燥機３０に通されて乾燥した後において、所定重量（７．２ｇ）のダニ忌避剤２２をマット本体２０の全体に保持させることができる。これによって、適切なダニ忌避効果を有するダニ忌避マット１０を製造することができる。
【００４９】
なお、ダニ忌避剤２２のマット本体２０に対する吸着ロスの原因としては、たとえば水分散液２８を吸い込んだマット本体２０を乾燥させるときに、マット本体２０から水分散液２８の一部が流れ出たり、乾燥の際にダニ忌避剤２２の一部がマット本体２０から離脱することが考えられる。
【００５０】
そして、ダニ忌避剤２２の重量とは、それの有効成分の重量であり、たとえば「ＦＩＮＩＳＨ  ＭＩＴ」等の薬剤を使用する場合は、その有効成分含有率（たとえば３６％）を勘案して水分散液２８を製造する必要があるし、他の薬剤を使用する場合は、その薬剤のダニ忌避効果の程度を勘案して、所定の濃度の水分散液２８を製造する必要がある。
【００５１】
ただし、上記実施例では、マット本体２０をウレタンフォームによって形成したが、これ以外の連続気泡１８を有するたとえばポリエチレン，ポリプロピレン，塩化ビニール等のプラスチックフォームによってマット本体２０を形成してもよい。なお、マット本体２０の材質，大きさおよび形状等に応じて、ローラ装置２６の各ローラ３２，３４の回転速度や、マット本体２０を挟み込むローラ３２，３４の押圧力等を調整する必要があるし、乾燥機３０の温度や乾燥時間等を調整する必要がある。
【００５２】
そして、上記実施例では、ダニ忌避マット１０をベッドマット１２とシーツ１４との間に敷いて使用するマットに適用したが、これに代えて、布団とシーツとの間に敷いて使用するマットに適用することができるし、これ以外のたとえば座布団やクッションにも適用することができる。
【００５３】
また、上記実施例では、ダニ忌避剤２２としてジエチルトルアミドを使用したが、これ以外のものを使用してもよい。
【００５４】
さらに、上記実施例では、図４に示すように、マット本体２０が一対のローラ３２，３４を通過したことを圧力センサ５０によって検出するようにしたが、これ以外のセンサ等を使用してマット本体２０の通過を検出するようにしてもよい。たとえば光センサやロータリーエンコーダを使用してマット本体２０の通過を検出するようにしてもよい。
【００５５】
そして、上記実施例では、ダニ忌避剤２２を除放性カプセル２４に収容した構成としたが、これに代えて、ダニ忌避剤２２を除放性膜によって被覆した構成としてもよい。また、ダニ忌避剤２２を除放性カプセル２４に収容して、これを水に分散させて水分散液２８を製造し、この水分散液２８をマット本体２０に吸い込ませたが、これに代えて、ダニ忌避剤２２を水に溶かして水溶液を製造し、この水溶液をマット本体２０に吸い込ませてもよい。
【図面の簡単な説明】
【図１】この発明の一実施例に係るダニ忌避マットの部分拡大断面図である。
【図２】図１実施例のダニ忌避マットの使用状態を示す斜視図である。
【図３】図１実施例のダニ忌避剤を収容する除放性カプセルの除放性能を示す図である。
【図４】この発明の一実施例に係るダニ忌避マットの製造に使用するローラ装置を示す模式図である。
【図５】この発明の一実施例に係るダニ忌避マットの製造に使用する乾燥機を示す模式図である。
【符号の説明】
１０  …ダニ忌避マット
１２  …ベッドマット
１４  …シーツ
１６  …ベッド
１８  …連続気泡
２０  …マット本体
２２  …ダニ忌避剤
２４  …除放性カプセル
２６  …ローラ装置
２８  …水分散液
３０  …乾燥機
３２  …駆動ローラ
３４  …従動ローラ
３６  …速度制御モータ
４２  …水槽
４４  …補充管
４６  …補充タンク
４８  …電磁弁
５４  …乾燥機のコンベア
【図１】
2004180573.tif 000003
【図２】
2004180573.tif 000004
【図３】
2004180573.tif 000005
【図４】
2004180573.tif 000006
【図５】
2004180573.tif 000007